(57)【特許請求の範囲】
【請求項１】
地上波放送受信処理回路を駆動するＵ／Ｖ電源回路部と、デジタル衛星放送受信処理回路を駆動するＤＢＳ電源回路部と、映像信号処理回路を駆動するＳＵＢ電源回路部と、商用電源から前記Ｕ／Ｖ電源回路部、前記ＤＢＳ電源回路部および前記ＳＵＢ電源回路部に直流電力を供給させるメイン電源回路部と、前記Ｕ／Ｖ電源回路部の出力短絡異常を判別して正常判別または異常判別を出力するＵ／Ｖ電源保護回路部と、前記ＤＢＳ電源回路部の出力短絡異常を判別して正常判別または異常判別を出力するＤＢＳ電源保護回路部と、前記ＳＵＢ電源回路部の出力短絡異常を判別して正常判別または異常判別を出力するＳＵＢ電源保護回路部と、前記地上波放送または前記デジタル衛星放送を非受信状態のときに前記Ｕ／Ｖ電源回路部あるいは前記ＤＢＳ電源回路部をオフさせる操作に対応して前記Ｕ／Ｖ電源保護回路部あるいは前記ＤＢＳ電源保護回路部の機能を停止させる制御手段と、前記Ｕ／Ｖ電源保護回路部、前記ＤＢＳ電源保護回路部または前記ＳＵＢ電源保護回路部からの前記正常判別出力または前記異常判別出力を入力するスタンバイ制御手段と、を備え、
前記スタンバイ制御手段は、前記異常判別出力を入力する時には前記メイン電源回路部をオフにし、かつ前記制御手段は、前記地上波放送または前記デジタル衛星放送の非受信状態時には前記Ｕ／Ｖ電源保護回路部と前記ＤＢＳ電源保護回路部の正常判別出力を前記スタンバイ制御手段に伝達することを特徴とするデジタル衛星放送受信装置。
【発明の詳細な説明】
【０００１】
【発明の属する技術分野】
本発明は、デジタル衛星放送、ＣＳ放送等の衛星放送と地上波放送との複数の受信が可能なデジタル衛星放送受信装置に関するもので、特にプラズマディスプレイ用の多入力受像可能なデジタル衛星放送受信装置に関するものである。
【０００２】
【従来の技術】
近年、プラズマディスプレイは、視認性に優れた表示パネル（薄型表示デバイス）として注目されており、高精細化および大画面化が進められている。
【０００３】
このプラズマディスプレイには、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイが主流を占めるようになってきている。プラズマディスプレイは大画面であり、かつデジタル信号処理で表示まで可能な装置で、多入力映像信号を同時に表示させるには最適であるため、ネットワ−ク時代に欠かせない映像表示装置として期待されている。
【０００４】
図５にプラズマディスプレイにおけるパネルの構造を示している。図５に示すように、ガラス基板などの透明な前面側の基板５１上には、スキャン電極とサステイン電極とで対をなすストライプ状の表示電極５２が複数列形成され、そしてその電極群を覆うように誘電体層５３が形成され、その誘電体層５３上には保護膜５４が形成されている。
【０００５】
また、前記前面側の基板５１に対向配置される背面側の基板５５上には、スキャン電極及びサステイン電極の表示電極５２と交差するように、オーバーコート層５６で覆われた複数列のストライプ状のアドレス電極５７が形成されている。このアドレス電極５７間のオーバーコート層５６上には、アドレス電極５７と平行に複数の隔壁５８が配置され、この隔壁５８間の側面およびオーバーコート層５６の表面に蛍光体層５９が設けられている。
【０００６】
これらの基板５１と基板５５とは、スキャン電極およびサステイン電極の表示電極５２とアドレス電極５７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁５８によって複数の区画に仕切ることにより、表示電極５２とアドレス電極５７との交点が位置する複数の放電セルが設けられ、その各放電セルには、赤色、緑色及び青色となるように蛍光体層５９が一色ずつ順次配置されている。
【０００７】
図６にこのプラズマディスプレイパネルの電極配列を示している。図６に示すようにスキャン電極およびサステイン電極とアドレス電極とは、Ｍ行×Ｎ列のマトリックス構成であり、行方向にはＭ行のスキャン電極ＳＣＮ1〜ＳＣＮMおよびサステイン電極ＳＵＳ1〜ＳＵＳMが配列され、列方向にはＮ列のアドレス電極Ｄ1〜ＤNが配列されている。
【０００８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００９】
また図７に、上記で説明した構造のパネルを組み込んだプラズマディスプレイの全体構成の一例を示している。図において、パネル６０を収容する筐体は、前面枠６１と金属製のバックカバー６２とから構成され、前面枠６１の開口部には光学フィルターおよびパネル６０の保護を兼ねたガラス等からなる前面フィルタ６３が配置されている。また、この前面フィルタ６３には電磁波の不要輻射を抑制するために、例えば銀蒸着が施されている。さらに、バックカバー６２には、パネル６０等で発生した熱を外部に放出するための複数の通気孔６２ａが設けられている。
【００１０】
前記パネル６０は、アルミニウム等からなる放熱板を兼ねた保持板としてのシャーシ部材６４の前面にアクリル系、ウレタン系、またはシリコン系材料からなる両面接着材または熱伝導シート６５を介して接着することにより保持され、そしてシャーシ部材６４の後面側には、パネル６０を表示駆動させるための複数の回路ブロック６６が取り付けられている。前記熱伝導シート６５は、パネル６０で発生した熱をシャーシ部材６４に効率よく伝え、放熱を行うためのものである。また、回路ブロック６６はパネル６０の表示駆動とその制御を行うための電気回路を備えており、パネル６０の縁部に引き出された電極引出部に、シャーシ部材６４の四辺の縁部を越えて延びる複数のフレキシブル配線板（図示せず）によって電気的に接続されている。
【００１１】
また、シャーシ部材６４の後面には、回路ブロック６６を取り付けたり、バックカバー６２を固定するためのボス部６４ａがダイカスト等による一体成型により突設されている。なお、このシャーシ部材６４は、アルミニウム平板に固定ピンを固定して構成してもよい。
【００１２】
一方、テレビ放送も、２０００年にデジタル衛星放送ならびにデジタルハイビジョン衛星放送が開始され、放送のデジタル化が本格的になってきた。加えて、２００３年には地上波放送のデジタル化が始められようとしている。これらの放送は、ソフトウエアの書き換えが放送を媒体として行われたり、電話回線を通じて双方向化が盛り込まれる等、機能の向上が進められ、放送と通信との融合した多機能化がされている。まさに、デジタル衛星放送受信装置はプラズマディスプレイに必須の装置となってきている。
【００１３】
【発明が解決しようとする課題】
ところで、このようなデジタル衛星放送受信装置においては、ビデオ機器、コンピュ−タ機器等の外部映像信号送出装置等の多数の映像信号ならびに音声信号入出力手段、前記多数の映像信号ならびに音声信号の信号切替手段、信号処理手段を具備しており、消費電力は５０Ｗ〜７０Ｗ程度である。一方、プラズマディスプレイの消費電力は３００Ｗ〜４００Ｗと大きいため、デジタル衛星放送受信装置の消費電力について、これまではさほど問題視されることはなかった。
【００１４】
しかし、プラズマディスプレイの技術の進歩により、急速に低消費電力化が図られており、このためデジタル衛星放送受信装置の消費電力の大きさが無視できないという課題が発生してきている。
【００１５】
本発明はこのような課題を解決し、放送の受信状態に対応して、消費電力を低減し、かつ電源保護機能を備えたデジタル衛星放送受信装置を提供することを目的とするものである。
【００１６】
【課題を解決するための手段】
上記目的を達成するために本発明のデジタル衛星放送受信装置は、地上波放送受信処理回路を駆動するＵ／Ｖ電源回路部と、デジタル衛星放送受信処理回路を駆動するＤＢＳ電源回路部と、映像信号処理回路を駆動するＳＵＢ電源回路部と、商用電源から前記Ｕ／Ｖ電源回路部、ＤＢＳ電源回路部およびＳＵＢ電源回路部に直流電力を供給させるメイン電源回路部とを具備し、映像信号を映像表示装置に送出するデジタル衛星放送受信装置において、前記Ｕ／Ｖ電源回路部、ＤＢＳ電源回路部およびＳＵＢ電源回路部それぞれにＵ／Ｖ電源保護回路部、ＤＢＳ電源保護回路部およびＳＵＢ電源保護回路部を設け、かつ受信状態に応じてＵ／Ｖ電源回路部あるいはＤＢＳ電源回路部をオンまたはオフさせる操作に対応して、前記Ｕ／Ｖ電源保護回路部あるいはＤＢＳ電源保護回路部の機能を停止させる制御手段を設けたことを特徴とするデジタル衛星放送受信装置である。
【００１７】
本発明によれば、受信状態に応じて必要な電源のみをオンするので、無効電力を低減でき、オン状態の電源の保護回路のみ機能させることが可能であるデジタル衛星放送受信装置を提供できる。
【００１８】
【発明の実施の形態】
すなわち、本発明の請求項１記載の発明は、地上波放送受信処理回路を駆動するＵ／Ｖ電源回路部と、デジタル衛星放送受信処理回路を駆動するＤＢＳ電源回路部と、映像信号処理回路を駆動するＳＵＢ電源回路部と、商用電源から前記Ｕ／Ｖ電源回路部、ＤＢＳ電源回路部およびＳＵＢ電源回路部に直流電力を供給させるメイン電源回路部とを具備し、映像信号を映像表示装置に送出するデジタル衛星放送受信装置において、前記Ｕ／Ｖ電源回路部、ＤＢＳ電源回路部およびＳＵＢ電源回路部それぞれにＵ／Ｖ電源保護回路部、ＤＢＳ電源保護回路部およびＳＵＢ電源保護回路部を設け、かつ受信状態に応じてＵ／Ｖ電源回路部あるいはＤＢＳ電源回路部をオンまたはオフさせる操作に対応して、前記Ｕ／Ｖ電源保護回路部あるいはＤＢＳ電源保護回路部の機能を停止させる制御手段を設けたものである。
【００１９】
本発明は、Ｕ／Ｖ電源保護回路部、ＤＢＳ電源保護回路部およびＳＵＢ電源保護回路部の正常／異常判別出力が入力されかつメイン電源回路部を制御するスタンバイ制御手段を設け、異常判別出力時には前記スタンバイ制御手段によりメイン電源回路部をオフさせ、かつ非受信時にはＵ／Ｖ電源保護回路部とＤＢＳ電源保護回路部の正常判別出力を前記スタンバイ制御手段に伝達させるように構成したものであり、Ｕ／Ｖ電源保護回路部とＤＢＳ電源保護回路部とＳＵＢ電源保護回路部との正常／異常判別出力を電源制御機能を具備したスタンバイ制御手段であるスタンバイマイコンに伝達させ、異常判別出力時には前記スタンバイマイコンがメイン電源回路部をオフさせ、Ｕ／Ｖ電源保護回路部とＤＢＳ電源保護回路部とを正常／異常判別出力を受信状態に応じ、非受信時には正常判別出力をスタンバイマイコンに伝達させるものであり、受信状態の電源のみオンさせることにより無効電力を低減させると共に、受信状態の電源に異常の発生した場合のみメイン電源回路部をオフさせることができるという作用を有する。
【００２０】
さらに、本発明は、この構成において、Ｕ／Ｖ電源保護回路部とＤＢＳ電源保護回路部は、Ｕ／Ｖ電源回路部あるいはＤＢＳ電源回路部のオン／オフ信号に連動して非受信時には正常判別出力を出力するように構成したものであり、Ｕ／Ｖ電源保護回路部とＤＢＳ電源保護回路部とを正常／異常判別出力を受信状態に応じ、Ｕ／Ｖ電源回路部あるいはＤＢＳ電源回路部のオン／オフ信号に連動して非受信時には正常判別出力を出力させたものであり、受信状態の電源のみオンさせることにより無効電力を低減させると共に、Ｕ／Ｖ電源回路部あるいはＤＢＳ電源回路部のオン／オフ信号を用いることにより容易に前記オン／オフ信号に連動して非受信状態にある電源回路部の保護回路の機能を停止させうるという作用を有する。
【００２１】
また、本発明は、Ｕ／Ｖ電源保護回路部とＤＢＳ電源保護回路部とＳＵＢ電源保護回路部との正常／異常判別出力をＯＲ機能手段にてスタンバイマイコンに伝達させるものであり、受信状態の電源のみオンさせることにより無効電力を低減させると共に、単一の信号ラインにて異常判別出力をスタンバイマイコンに伝達し、メイン電源回路部をオフさせることができるという作用を有する。
【００２２】
さらに、本発明は、Ｕ／Ｖ電源保護回路部とＤＢＳ電源保護回路部とは、異常判別手段と正常／異常判別信号であるＳＯＳ信号を正常判別信号として出力させるＳＯＳ信号オン／オフ手段とを具備したものであり、Ｕ／Ｖ電源回路部あるいはＤＢＳ電源回路部のオン／オフ信号を用いることにより容易に前記オフ信号に連動して非受信状態にある電源回路部の保護回路に具備された異常判別手段の判別信号出力を正常判別信号として出力させるという作用を有する。
【００２３】
さらに、本発明は、デジタル衛星放送受信装置は、ビデオ機器、コンピュ−タ機器等の外部映像信号送出装置と接続可能な接続手段と、各外部映像信号ソ−スを切替えて映像信号を送出する信号切替手段を具備するものである。
【００２４】
また、本発明は、少なくとも前面側が透明な一対の基板を基板間に放電空間が形成されるように対向配置しかつ複数の放電セルを形成したパネルを有するプラズマディスプレイと、地上波放送受信処理回路、デジタル衛星放送受信処理回路および映像信号処理回路を有し映像信号をプラズマディスプレイに送出するデジタル衛星放送受信装置とからなり、前記デジタル衛星放送受信装置は、地上波放送受信処理回路を駆動するＵ／Ｖ電源回路部とデジタル衛星放送受信処理回路を駆動するＤＢＳ電源回路部と映像信号処理回路を駆動するＳＵＢ電源回路部と商用電源から前記Ｕ／Ｖ電源回路部、ＤＢＳ電源回路部およびＳＵＢ電源回路部に直流電力を供給させるメイン電源回路部とを具備するとともに、前記Ｕ／Ｖ電源回路部、ＤＢＳ電源回路部およびＳＵＢ電源回路部それぞれにＵ／Ｖ電源保護回路部、ＤＢＳ電源保護回路部およびＳＵＢ電源保護回路部を有し、かつ受信状態に応じてＵ／Ｖ電源回路部あるいはＤＢＳ電源回路部をオンまたはオフさせる操作に対応して、前記Ｕ／Ｖ電源保護回路部あるいはＤＢＳ電源保護回路部の機能を停止させる制御手段を設けたプラズマディスプレイを用いたテレビジョン受信装置としたものである。
【００２５】
さらに、本発明は、デジタル衛星放送受信装置は、ビデオ機器、コンピュ−タ機器等の外部映像信号送出装置と接続可能な接続手段と、各外部映像信号ソ−スを切替える信号切替手段を具備し、プラズマディスプレイに映像信号を送出するものであり、放送非受信時にはＵ／Ｖ電源回路部あるいはＤＢＳ電源回路部をオフするのでこの無効電力を低減させると共に、放送非受信状態にある電源回路部の保護回路の機能を停止させうるという作用を有する。
【００２６】
以下、本発明の一実施の形態によるデジタル衛星放送受信装置について、図１〜図４を用いて説明する。
【００２７】
（実施の形態１）
図１に本発明の実施の形態１によるデジタル衛星放送受信装置における要部構成を示している。図に示すように、デジタル衛星放送受信装置１００は、映像表示装置にプラズマディスプレイ１がコネクタ１ａを介して接続される。また、外部映像信号送出装置２として、ビデオ機器２ａ、デジタルビデオディスク（ＤＶＤ）２ｂ、パ−ソナルコンピュ−タ２ｃ等が接続手段３としてコネクタ３ａ、３ｂ、３ｃに接続され、多入力接続されている。加えて、ＲＦ信号を受信するためのＵ／Ｖ信号受信アンテナ４、ＤＳＢ信号を受信するためのＤＢＳ信号受信アンテナ５は、それぞれＵ／Ｖアンテナ端子４ａ、ＢＳアンテナ端子５ａに接続される。
【００２８】
デジタル衛星放送受信装置１００の電源回路は、商用電源６に接続されており、スタンバイ電源回路１１、およびリレ−１２を介して接続されたメイン電源回路１３により、直流電圧に変換される。このスタンバイ電源回路１１は、制御手段であるスタンバイマイコン１４、リレ−１２に給電し、メイン電源回路１３のオン／オフの制御を行っている。
【００２９】
また、メイン電源回路１３は、地上波放送受信処理回路であるＵ／Ｖ電源回路１５１、デジタル衛星放送受信処理回路であるＤＢＳ電源回路１５２に給電し、それぞれＵ／Ｖ信号受信処理回路１６、ＤＢＳ信号受信処理回路１７を動作させる。さらに、ＳＵＢ電源回路１５３にも給電し、映像信号処理回路であるＰＤＰ信号処理回路１８１、信号切替手段１８２、制御手段であるメインマイコン１９を動作させる。
【００３０】
また、Ｕ／Ｖ電源回路１５１、ＤＢＳ電源回路１５２、ＳＵＢ電源回路１５３にはそれぞれ保護回路としてＵ／Ｖ電源保護回路１５１ｐ、ＤＢＳ電源保護回路１５２ｐ、ＳＵＢ電源保護回路１５３ｐが接続され、前記それぞれの保護回路の出力はスタンバイマイコン１４に伝達され、電源異常時にリレ−１２をオフさせ、メイン電源回路１３をオフさせる構成となっている。
【００３１】
このようなデジタル衛星放送受信装置において、本発明においては、受信状態に対応して、受信信号の信号処理を行う電源回路のみをメインマイコン１９のオン信号に基づきオン状態を保持させ、一方信号処理を行なわない電源回路へはメインマイコン１９からオフ信号を入力し、オフ状態にするように制御している。
【００３２】
例えばＵ／Ｖ信号のみ受信している場合、メインマイコン１９がＤＢＳ電源回路１５２をオフさせ、同時にＤＢＳ電源保護回路１５２ｐの機能を停止させる。また、例えばパ−ソナルコンピュ−タ２ｃの映像信号をプラズマディスプレイ装置１で表示させた場合、通常デジタル衛星放送、地上波放送を受信していないので、メインマイコン１９はＵ／Ｖ電源回路１５１とＢＳ電源回路１５２とをオフさせ、同時にＵ／Ｖ電源保護回路１５１ｐとＤＢＳ電源保護回路１５２ｐの機能を停止させる。
【００３３】
したがって、例えば全回路動作時に５０Ｗのデジタル衛星放送受信装置の消費電力を２０Ｗ程度に低減することが可能であり、きわめて効率的な電力使用とすることができる。
【００３４】
図２に本実施の形態による電源回路の要部構成を示している。
【００３５】
まず、Ｕ／Ｖ電源回路１５１はメイン電源回路１３の出力Ｖinが供給され、そしてＤＣ−ＤＣコンバ−タであるＵＶＡコンバ−タ１５１ａ、ＵＶＢコンバ−タ１５１ｂ、ＵＶＣコンバ−タ１５１ｃにより、所定の出力電圧ＶO11（例えば＋９Ｖ）、出力電圧ＶO12（例えば＋５Ｖ）、出力電圧ＶO13（例えば＋３．３Ｖ）それぞれを、メインマイコン１９から送られるＵ／Ｖ電源回路オン信号を受けて給電する。各出力電圧はＵ／Ｖ電源保護回路１５１ｐで、出力短絡異常を判別する。
【００３６】
ＤＢＳ電源回路１５２はメイン電源回路１３の出力Ｖinが供給され、そしてＤＣ−ＤＣコンバ−タであるＢＳＡコンバ−タ１５２ａ、ＢＳＢコンバ−タ１５２ｂ、ＢＳＣコンバ−タ１５２ｃにより、所定の出力電圧ＶO21（例えば＋５Ｖ）、出力電圧ＶO22（例えば＋３．３５Ｖ）、出力電圧ＶO23（例えば＋２．５Ｖ）それぞれをメインマイコン１９から送られるＤＢＳ電源回路オン信号を受けて給電する。各出力電圧はＤＢＳ電源保護回路１５２ｐで、出力短絡異常を判別する。
【００３７】
ＳＵＢ電源回路１５３はメイン電源回路１３の出力Ｖinが供給され、そしてＤＣ−ＤＣコンバ−タであるＳＵＢＡコンバ−タ１５３ａ、ＳＵＢＢコンバ−タ１５３ｂ、ＳＵＢＣコンバ−タ１５３ｃにより、所定の出力電圧ＶO31（例えば＋５Ｖ）、出力電圧ＶO32（例えば＋３．３５Ｖ）、出力電圧ＶO33（例えば＋２．５Ｖ）それぞれを給電する。各出力電圧はＳＵＢ電源保護回路１５３ｐで、出力短絡異常を判別する。
【００３８】
Ｕ／Ｖ電源保護回路１５１ｐ、ＤＢＳ電源保護回路１５２ｐ、ＳＵＢ電源保護回路１５３ｐの出力信号であるＳＯＳ信号は、ダイオ−ド２１ａ、２１ｂ、２１ｃで構成したＯＲ機能手段２１を通じて、スタンバイマイコン１１に伝達される。ＳＯＳ信号は、正常時『Ｌ』、異常時『Ｈ』の論理として、ＯＲ機能手段２１に送られる。したがって、いずれの電源回路において短絡状態になった場合も、異常時『Ｈ』の論理信号をＳＯＳ信号として、スタンバイマイコン１１に伝達することができる。
【００３９】
一方、例えばデジタル衛星放送を非受信の場合、メインマイコン１９はＤＢＳ電源回路１５２のオフの信号をＤＢＳ電源回路１５２に出力し、ＤＢＳ電源回路１５２をオフさせる。ＤＢＳ電源保護回路１５２ｐはＤＢＳ電源回路１５２のオフの信号により、ＳＯＳ信号を正常時『Ｌ』に保持させている。したがって、ＤＢＳ電源回路１５２の出力電圧ＶO21、出力電圧ＶO22、出力電圧ＶO23はいずれも低下するが、ＳＯＳ信号を正常時『Ｌ』に保持させているので、電源保護動作、例えばリレ−１２をオフ動作させることなく、デジタル衛星放送受信装置を動作させることができる。
【００４０】
図３（ａ）、（ｂ）に本実施の形態による電源保護回路の要部構成を示している。なお、要部ブロック構成において、Ｕ／Ｖ電源保護回路１５１ｐとＤＢＳ電源保護回路１５２ｐとは同一であるので、ＤＢＳ電源保護回路１５２ｐを用いて説明する。
【００４１】
すなわち、図３（ａ）において、ＤＢＳ電源保護回路１５２ｐは、異常判別手段３１とＳＯＳ信号出力オン／オフ手段３２とから構成されている。ＤＢＳ電源回路１５２の出力電圧ＶO21、出力電圧ＶO22、出力電圧ＶO23に基づき、異常判別手段３１にて、正常または異常が判別される。ＳＯＳ信号出力オン／オフ手段３２は、ＤＳＢ電源回路１５２のオン／オフ信号により、ＤＳＢ電源回路１５２がオン時に導通させ、ＤＳＢ電源回路１５２がオフ時に接地し、論理『Ｌ』とする。
【００４２】
図３（ｂ）にＳＯＳ信号出力オン／オフ手段３２の具体的な回路構成の一実施例を示す。すなわち、ＳＯＳ信号入力ラインとＳＯＳ信号出力ラインと間に、例えば４７０Ωの抵抗Ｒ３１を直列に接続し、ＮＰＮトランジスタＱ３１のコレクタをＳＯＳ信号出力ラインに接続し、エミッタを接地する。ベ−スには、ＤＳＢ電源回路オン／オフ信号を入力させる。通常ベ−ス抵抗として、例えば１０ｋΩの抵抗値からなる、抵抗Ｒ３２を用いている。
【００４３】
この場合、ＤＳＢ電源回路オン信号として、論理『Ｌ』がＮＰＮトランジスタＱ３１のベ−スに入力されると、ＮＰＮトランジスタＱ３１はオフ状態となり、ＳＯＳ信号出力オン／オフ手段３２は導通状態となる。ＤＳＢ電源回路オフ信号として、論理『Ｈ』がＮＰＮトランジスタＱ３１のベ−スに入力されると、ＮＰＮトランジスタＱ３１はオン状態となり、ＳＯＳ信号出力オン／オフ手段３２は非導通状態となる。すなわち、ＤＳＢ電源回路１５２がオン状態のときには、ＳＯＳ信号がスタンバイマイコン１１に出力されるが、ＤＳＢ電源回路１５２がオフ状態のときには、ＳＯＳ信号がスタンバイマイコン１１に出力されず、保護回路の機能を停止させることができる。
【００４４】
（実施の形態２）
図４（ａ）、（ｂ）に本発明の実施の形態２において、電源保護回路の要部構成を示している。なお、要部ブロック構成において、Ｕ／Ｖ電源保護回路１５１ｐとＤＢＳ電源保護回路１５２ｐとは同一であるので、ＤＢＳ電源保護回路１５２ｐを用いて説明する。
【００４５】
すなわち、ＤＢＳ電源保護回路１５２ｐは、異常判別手段４１とＳＯＳ信号出力オン／オフ手段４２とから構成されている。図３に示した構成との差異は、異常判別手段４１のＳＯＳ信号出力をオン／オフさせるのではなく、異常判別手段４１のＳＯＳ信号出力の論理をＤＳＢ電源回路オン／オフ信号がオンの場合、論理『Ｌ』に保持する点である。具体的な回路構成を以下で説明する。
【００４６】
異常判別手段４１へは、ＤＢＳ電源回路１５２の出力電圧ＶO21、出力電圧ＶO22、出力電圧ＶO23が、電圧異常検出のために入力され、かつＳＵＢ電源回路１５３の出力電圧ＶO33が基準電圧として入力される。出力電圧ＶO21は出力電圧ＶO22を基準電圧とし、出力電圧ＶO22は出力電圧ＶO23を基準電圧とし、出力電圧ＶO23は出力電圧ＶO33を基準電圧とするように、複数の出力電圧の高低において低電圧側を基準電圧として、正常／異常を判別する。すなわち、
ＶO21≧ＶO22≧ＶO23≧ＶO33  の関係とする。
【００４７】
出力電圧ＶO21の正常／異常判別手段は、ＰＮＰトランジスタＱ４１、１ｋΩの抵抗Ｒ４１、Ｒ４２、０．１μＦのコンデンサＣ４１、ダイオ−ドＤ４１から構成される。Ｑ４１のエミッタに出力電圧ＶO22を基準電圧として入力し、Ｑ４１のベ−スに、出力電圧ＶO21を入力する。正常状態ではベ−ス電圧がエミッタ電圧より高いので、ＰＮＰトランジスタＱ４１はオフとなり、ダイオ−ドＤ４１のカソ−ド出力は正常論理『Ｌ』となる。一方、出力電圧ＶO21、例えば＋５Ｖが２．５Ｖまで低下すると、ＰＮＰトランジスタＱ４１はオンし、２．７Ｖ（異常論理『Ｈ』）が出力される。
【００４８】
同様に、出力電圧ＶO22の正常／異常判別手段は、ＰＮＰトランジスタＱ４２、１ｋΩの抵抗Ｒ４３、Ｒ４４、０．１μＦのコンデンサＣ４２、ダイオ−ドＤ４２から構成され、出力電圧ＶO23の正常／異常判別手段は、ＰＮＰトランジスタＱ４３、１ｋΩの抵抗Ｒ４５、Ｒ４６、０．１μＦのコンデンサＣ４３、ダイオ−ドＤ４３から構成されている。
【００４９】
出力電圧ＶO23、例えば＋２．５Ｖの正常／異常判別は、出力電圧ＶO23が低下し、例えば＋１．０Ｖになると、ＰＮＰトランジスタＱ４３はオンし、１．９Ｖ（異常論理『Ｈ』）が出力される。
【００５０】
ＳＯＳ信号出力オン／オフ手段３２は、例えば、ＤＢＳ電源回路オン／オフ信号（オン時論理『Ｌ』、オフ時論理『Ｈ』）と、ＳＵＢ電源回路１５２の出力電圧ＶO33とを入力し、ＰＮＰトランジスタＱ４３をオン／オフさせる出力を出力する。ＤＢＳ電源回路オン／オフ信号に対応して、ＰＮＰトランジスタＱ４３をオン／オフさせる出力を出力するため、例えばＮＰＮトランジスタからなるＱ４４、Ｑ４５と、抵抗Ｒ４７、Ｒ４８、Ｒ４９と、ダイオ−ドＤ４４とから構成する。
【００５１】
ＤＢＳ電源回路オン／オフ信号がオン時、論理『Ｌ』の場合、ＮＰＮトランジスタＱ４４はオフであるので、ＮＰＮトランジスタＱ４５のベ−スには抵抗Ｒ４９を通じてＳＵＢ電源回路１５２の出力電圧ＶO33が入力され、ＮＰＮトランジスタＱ４５がオンする。したがって、ダイオ−ドＤ４４のアノ−ド側はＮＰＮトランジスタＱ４５のコレクタ電位、例えば０．６Ｖに保持される。異常判別手段４１に備えられたＰＮＰトランジスタＱ４３のベ−ス電圧は２．５Ｖであるので、Ｄ４４は導通せず、異常判別手段４１はＳＯＳ信号出力オン／オフ手段３２から電気的に分離されている。
【００５２】
ＤＢＳ電源回路オン／オフ信号がオフ時、論理『Ｈ』の場合、ＮＰＮトランジスタＱ４４はオンであるので、ＮＰＮトランジスタＱ４５のベ−ス電圧はＮＰＮトランジスタＱ４４のコレクタ−エミッタ間電圧Ｖce、例えば０．３Ｖとなり、ＮＰＮトランジスタＱ４５はオフされる。
【００５３】
次に、抵抗Ｒ４８、ダイオ−ドＤ４４を通じて、ＳＵＢ電源回路１５２の出力電圧ＶO33（例えば２．５Ｖ）が異常判別手段４１に備えられたＰＮＰトランジスタＱ４３のベ−スに入力される。ＤＢＳ電源回路１５２がオフ時であるため、ＰＮＰトランジスタＱ４３のエミッタ電圧はベ−ス電圧より低下（ＶO23＜ＶO33の関係）し、ＰＮＰトランジスタＱ４３はオフされる。
【００５４】
また、ＶO21、ＶO22、の正常／異常の判別信号を出力するＰＮＰトランジスタＱ４１、ＰＮＰトランジスタＱ４２のエミッタ電圧は、ＤＢＳ電源回路１５２はオフされているので、ダイオ−ドＤ４１、Ｄ４２のカソ−ド側出力は１Ｖ以下である。したがって、ＳＯＳ信号出力は論理『Ｌ』となり、スタンバイマイコン１１は正常と判別する。
【００５５】
なお、以上の説明において、論理『Ｈ』、論理『Ｌ』については、Ｈ：１．２Ｖ以上、Ｌ：１．２Ｖ未満として、説明したが、論理『Ｈ』、論理『Ｌ』の判別電圧は１．２Ｖである必要はなく、使用するスタンバイマイコンの仕様によるものである。
【００５６】
また、以上の説明では、各電源回路および各保護回路において、各回路ブロック単位で配置する例を説明したが、1個の回路ブロックに複数のそれぞれの機能を具備させるように構成して、その各機能を上記と同様に制御するように構成しても良い。
【００５７】
【発明の効果】
以上の説明から明らかなように、本発明にかかるデジタル衛星放送受信装置によれば、放送非受信時にはＤＢＳ電源回路あるいはＵ／Ｖ電源回路をオフすると共に、放送非受信状態にある電源回路の電源保護回路の機能を停止させることが可能であるため、受信状態の電源回路のみ動作させ、無効電力を低減させると共に、動作中の電源回路の電源保護回路のみを動作させ、安全に装置を動作させることができるという有利な効果が得られる。
【図面の簡単な説明】
【図１】本発明の一実施の形態によるデジタル衛星放送受信装置における要部構成図
【図２】図１の電源回路ブロックの詳細回路図
【図３】（ａ）、（ｂ）は図２のＤＢＳ電源保護回路の構成を示す回路図
【図４】（ａ）、（ｂ）は本発明の他の一実施の形態によるデジタル衛星放送受信装置のＤＢＳ電源保護回路の構成を示す回路図
【図５】プラズマディスプレイのパネル構造を示す概略構成図
【図６】同パネルの電極配線の一例を示す構成図
【図７】プラズマディスプレイの全体構成の一例を示す斜視図
【符号の説明】
１  プラズマディスプレイ
１ａ  コネクタ
２  外部映像信号送出装置
２ａ  ビデオ
２ｂ  ＤＶＤ
２ｃ  パ−ソナルコンピュ−タ
３  接続手段
３ａ、３ｂ、３ｃ  コネクタ
４  Ｕ／Ｖ信号受信アンテナ
４ａ  Ｕ／Ｖアンテナ端子
５  ＤＢＳ信号受信アンテナ
５ａ  ＢＳアンテナ端子
６  商用電源
１１  スタンバイ電源回路
１２  リレ−
１３  メイン電源回路
１４  スタンバイマイコン
１６  Ｕ／Ｖ信号受信処理回路
１７  ＤＢＳ信号受信処理回路
１９  メインマイコン
１００  デジタル衛星放送受信装置
１５１  Ｕ／Ｖ電源回路
１５１ｐ  Ｕ／Ｖ電源保護回路
１５２  ＤＢＳ電源回路
１５２ｐ  ＤＢＳ電源保護回路
１５３  ＳＵＢ電源回路
１５３ｐ  ＳＵＢ電源保護回路
１８１  ＰＤＰ信号処理回路
１８２  信号切替手段
【図１】
0004810755.tif 000002
【図２】
0004810755.tif 000003
【図３】
0004810755.tif 000004
【図４】
0004810755.tif 000005
【図５】
0004810755.tif 000006
【図６】
0004810755.tif 000007
【図７】
0004810755.tif 000008